(57)【要約】【課題】  薬剤の充填作業を軽減できる鼻腔用投薬器を提供する。【解決手段】  粉体状の薬剤を収容する薬剤マガジン５と、該薬剤マガジン５内に空気を供給するポンプ手段３と、該ポンプ手段３から供給される空気によって薬剤マガジン５内の薬剤が導出され、この導出された薬剤を噴霧口を介して鼻腔内に噴射するノズル９とを備えた鼻腔用投薬器において、前記薬剤マガジン５は、複数回投与分の薬剤を一度に収容自在に構成したことを特徴とする鼻腔用投薬器。【選択図】      図２
2006087797.tif 000002
【特許請求の範囲】
【請求項１】
粉体状の薬剤を収容する薬剤収容手段と、該薬剤収容手段内に空気を供給するポンプ手段と、該ポンプ手段から供給される空気によって前記薬剤収容手段内の薬剤が導出され、この導出された薬剤を噴霧口を介して鼻腔内に噴射するノズル手段とを備えた鼻腔用投薬器において、
前記薬剤収容手段は、複数回投与分の薬剤を一度に収容自在に構成したことを特徴とする鼻腔用投薬器。
【請求項２】
前記ノズル手段を左右一対に設け、これら左右のノズル手段の噴霧口同士の間隔を調整自在に構成したことを特徴とする請求項１に記載の鼻腔用投薬器。
【請求項３】
前記ポンプ手段とノズル手段との間に、前記ポンプ手段からの空気をノズル手段まで送給する空気通路を設け、該空気通路の経路に屈曲部を設けたことを特徴とする請求項１又は２に記載の鼻腔用投薬器。
【発明の詳細な説明】
【技術分野】
【０００１】
本発明は、粉体状の薬剤を鼻腔内に投与するための鼻腔用投薬器に関する。
【背景技術】
【０００２】
一般に、鼻アレルギー等の患者には粉状の薬剤を鼻腔内に投与して治療する方法が採用され、この治療に使用する種々の鼻腔用投薬器が従来より種々提案されている（例えば、特許文献１参照）。
【０００３】
この特許文献１に記載された鼻腔用投薬器は、投薬器本体と、該投薬器本体の先端に固定され、患者の鼻腔内に挿入されるノズルと、該ノズルの反対側で投薬器本体に取り付けされたゴム製のポンプ部材とを備えている。
【０００４】
この鼻腔用投薬器の使用手順を説明する。まず、患者の鼻腔にノズルを挿入し、この状態で、ポンプ部材を押圧してポンプ室を圧縮変形する。次いで、ポンプ室内の空気が薬剤収容室に供給され、薬剤収容室が加圧されると、薬剤収容室の薬剤が空気と共に薬剤通路を通って鼻腔内に噴射される。
【特許文献１】特公昭６３−６０２４号公報
【発明の開示】
【発明が解決しようとする課題】
【０００５】
しかしながら、前記従来技術では、薬剤投与のたびに、投薬器に薬剤を１回分ずつ充填させる作業が発生するため、非常に手間がかかるという問題がある。
【０００６】
本発明は前述した事情に鑑みてなされたものであり、本発明の目的は、薬剤の充填作業を軽減できる鼻腔用投薬器を提供することにある。
【課題を解決するための手段】
【０００７】
前記の目的を達成するために、請求項１に記載の発明は、粉体状の薬剤を収容する薬剤収容手段と、該薬剤収容手段内に空気を供給するポンプ手段と、該ポンプ手段から供給される空気によって前記薬剤収容手段内の薬剤が導出され、この導出された薬剤を噴霧口を介して患者の鼻腔内に噴射するノズル手段とを備えた鼻腔用投薬器において、前記薬剤収容手段を、複数回投与分の薬剤が一度に収容できるように構成したことを特徴とする。
【０００８】
また、請求項２に記載の発明は、請求項１に記載の鼻腔用投薬器であって、前記ノズル手段を左右一対に設け、これら左右のノズル手段の噴霧口同士の間隔を調整自在に構成したことを特徴としている。
【０００９】
さらに、請求項３に記載の発明は、請求項１又は２に記載の鼻腔用投薬器であって、前記ポンプ手段からノズル手段に至る経路に、前記ポンプ手段からの空気をノズル手段まで送給する空気通路を設け、該空気通路に、屈曲部を少なくとも１箇所設けたことを特徴とする。
【発明の効果】
【００１０】
請求項１の発明によれば、薬剤収容手段を、複数回投与分の薬剤が収容できるように構成しているため、投与のたびに薬剤を投薬器に充填する手間が省ける。つまり、従来は、薬剤収容手段に１回分しか薬剤を収容することができなかったため、薬剤投与のたびに、その薬剤を収容する必要があった。しかし、本発明によれば、投与のたびに薬剤を投薬器に充填する手間が省け、効率的な投与を行うことができる。
【００１１】
請求項２の発明によれば、左右の噴霧口同士の間隔を患者の鼻腔の間隔に合わせて調整できるため、薬剤を確実に投与することができる。
【００１２】
請求項３の発明によれば、空気通路の経路に屈曲部を設け、空気通路を同一軸線状に設定しないように構成しているため、空気通路の構成の自由度が増えて薬剤に作用させる空気流を様々に制御することができ、薬剤の種類に応じた拡散度合いに調整することができる。また、薬剤収容手段とノズル手段との間に屈曲部を設定することにより、一時的な薬剤トラップの設定をすることになるため、ノズル手段の内部の薬剤が薬剤収容手段に逆流することを防止することができ、安定的な薬剤噴霧を行うことができる。
【発明を実施するための最良の形態】
【００１３】
以下、本発明の実施形態について図面を参照して説明する。
【００１４】
図１は鼻腔用投薬器の正面図である。
【００１５】
鼻腔用投薬器１は、ポンプ手段３と、該ポンプ手段３の上部に配設された薬剤収容手段である薬剤マガジン５と、該薬剤マガジン５の上部に配設された保持部材７と、該保持部材７に突設されたノズル手段であるノズル９，９とを備えている。
【００１６】
図２は、図１のＡ−Ａ線による断面図である。
【００１７】
ポンプ手段３は、円筒状でゴム製のポンプ部材１１から構成され、該ポンプ部材１１の内部には、ポンプ室１３が形成されている。
【００１８】
また、薬剤マガジン５の内部には、複数の薬剤収容部１５が形成されており、該薬剤収容部１５と前記ポンプ室１３とは、第１の空気通路１７を介して連通されている。この第１の空気通路１７は、ポンプ室１３から上方に延びる直線部１７ａと、該直線部１７ａ曲線部１７ｃに通じる連通部１７ｂと、その一端が、連通部１７ｂの端部から投薬器１の周方向に沿って半円状に延びて他端が収容側連通部１７ｄに通じる曲線部１７ｃとから構成されている。ここで、前記直線部１７ａと連通部１７ｂとの間、及び、連通部１７ｂと曲線部１７ｃの一端との間は、経路が直交した屈曲部１９，２１を介して連通している。また、曲線部１７ｃ自体の半円状の経路、及び、曲線部１７ｃの他端と収容側連通部１７ｄとの間も、経路が略直交した屈曲部２３，２５に形成されている。
【００１９】
そして、薬剤収容手段である薬剤収容部１５は、粉体状の薬剤が充填されたカプセル（図示せず）を収容するために、内周側が略円筒状に形成されている。また、薬剤収容部１５の上方及び下方には、第１孔開け針２７と第２孔開け針２９がそれぞれ配置されている。
【００２０】
第１孔開け針２７は、操作レバー３１に連動し、該操作レバー３１を下方向に操作することによって薬剤収容部１５内のカプセルの殻の上端に穿孔する。第２孔開け針２９は、操作レバー３３に固定され、薬剤収容部１５内のカプセルの殻の下端に穿孔する。
【００２１】
さらに、薬剤収容部１５とノズル９の薬剤通路３５とは、第２の空気通路３７を介して連通されている。この第２の空気通路３７は、薬剤収容部１５から斜め上方に延びる収容側通路部３７ａと、ノズル９の薬剤通路３５と同一直線状に延びるノズル側通路部３７ｂとから構成されている。そして、収容側通路部３７ａにおける薬剤収容部側の端部とノズル側通路部側の端部とには、それぞれ屈曲部３９，４１が形成されている。
【００２２】
図３は図１の薬剤マガジンを示す正面図、図４は図３の平面図、図５は図４のＢ−Ｂ線による断面図である。
【００２３】
これらの図３〜５に示すように、薬剤マガジン５は径方向中心部に支持孔４５が貫通して設けられた略円筒状に形成されており、外周側には周方向に一定間隔を隔てて把持部４７が複数形成されている。この把持部４７は、径方向の内側に向けて凹んでおり、患者の指の先端で摘みやすい形状に形成されている。また、図５に示すように、薬剤マガジン５の軸方向に沿って薬剤収容部１５が延設されている。
【００２４】
この薬剤収容部１５の内周面は、上部側１５ａが円筒状に形成され、下端部１５ｂは下方に向かうにつれて径が徐々に小さくなった湾曲形状に形成されている。そして、図４に示すように、薬剤収容部１５は、同一間隔で円周状に７つ配置されている。
【００２５】
図６は、図１のノズル近傍の断面図である。
【００２６】
一対のノズル９，９は、ノズル装着孔５１，５１にそれぞれ回転自在に装着されている。各ノズル９は、ノズル装着孔５１に挿入される軸部９ａと、該軸部９ａに一体に設けられたノズル本体９ｂとから構成されている。ノズル本体９ｂは、患者の鼻腔に挿入できる径や長さの円筒状に形成されている。また、ノズル本体９ｂの中心軸Ｃ２は、軸部９ａの中心軸Ｃ１に対して偏芯した位置に設定されている。よって、一対のノズル９，９を回転すると、この偏芯によってノズル本体９ｂ，９ｂの間隔を可変できるようになっている。なお、ノズル９の軸部９ａの外周には、周方向に沿って抜け止めリブ９ｃが形成されている。さらに、各ノズル９には薬剤通路３５が形成され、該薬剤通路３５の下端は第２の空気通路３７に連通され、軸部９ａの中心軸Ｃ１を中心として開口されている。薬剤通路３５の他端は、噴霧口５３として構成され、ノズル本体９ｂの中心軸Ｃ２を中心として開口されている。つまり、ノズル９の薬剤通路３５は、斜めに屈曲した通路に形成されている。
【００２７】
このように、ノズル本体９ｂの中心軸Ｃ２は、軸部９ａの中心軸Ｃ１に対して偏芯した位置に設定されているため、ノズル９を周方向に回転させると、左右のノズル９同士の間隔が変化する。よって、患者の鼻腔の間隔に応じて、噴霧口５３，５３の間隔を適宜調整することができる。
【００２８】
次に、鼻腔用投薬器１の投薬作業を説明する。
【００２９】
それぞれの薬剤収容部１５内には薬剤が充填されたカプセルが収容されている。
【００３０】
まず、一対のノズル間隔が患者の左右の鼻腔間隔に合っていない場合には、一対のノズル９，９を回転し、ノズル間隔を患者の左右の鼻腔間隔に合わせる。次いで、患者が薬剤マガジン５の把持部４７を指で掴み周方向に沿って回転させて、未使用のカプセルを、第１孔開け針２７と第２孔開け針２９とに対向した部位に配置する。そして、操作レバー３１，３３を各々スライドさせ、第１孔開け針２７と第２孔開け針２９とによってカプセルの上下に孔を開ける。
【００３１】
このように各調整を終えた後に、ノズル９，９を患者の左右の鼻腔に挿入し、ポンプ部材１１を押圧してポンプ室１３を圧縮変形すると、第１の空気通路１７を介して空気が薬剤収容部１５に流入する。
【００３２】
これにより薬剤収容部１５が加圧されると、薬剤収容部１５の薬剤が空気と共に第２の空気通路３７を通って圧送され、薬剤が各ノズル９，９の薬剤通路３５，３５を通って噴霧口５３，５３から左右の鼻腔内に噴射される。
【００３３】
以下に、本実施形態による作用効果について説明する。
【００３４】
本実施形態においては、第１の空気通路１７に屈曲部１９，２１，２３，２５を設けたため、薬剤収容部１５に送給する空気の流量や流速を適宜制御することができ、安定した薬剤投与を行うことができる。
【００３５】
また、第２の空気通路３７にも屈曲部３９，４１を設けたため、ノズル９の薬剤通路３５からの薬剤の逆流を効率的に抑制することができ、一時的な薬剤トラップの効果を得ることができる。
【００３６】
さらに、前記実施形態から把握し得る請求項以外の技術思想について、以下にその効果と共に記載する。
【００３７】
（イ）請求項１〜請求項３に記載の鼻腔用投薬器において、前記薬剤収容手段は、投薬器の周方向に回動自在に支持された略円筒状の薬剤マガジンであることを特徴とする鼻腔用投薬器。
【００３８】
この構成によれば、薬剤マガジンを回動させるという簡単な操作のみで、薬剤の充填作業を大幅に減らすことができる。
【００３９】
（ロ）前記（イ）に記載の鼻腔用投薬器において、前記薬剤マガジンは、投薬器の周方向に沿って複数の薬剤収容部を備えていることを特徴とする鼻腔用投薬器。
【００４０】
この構成によれば、薬剤収容手段に薬剤を充填させる際の充填効率を向上させることができる。
【図面の簡単な説明】
【００４１】
【図１】本発明の実施形態による鼻腔用投薬器の正面図である。
【図２】図１のＡ−Ａ線による断面図である。
【図３】図１の薬剤マガジンを示す正面図である。
【図４】図３の薬剤マガジンを示す平面図である。
【図５】図４のＢ−Ｂ線による断面図である。
【図６】図１のノズル近傍の断面図である。
【符号の説明】
【００４２】
１…鼻腔用投薬器
３…ポンプ手段
５…薬剤マガジン（薬剤収容手段）
９…ノズル（ノズル手段）
１５…薬剤収容部
１７…第１の空気通路（空気通路）
１９，２１，２３，２５，３９，４１…屈曲部
３７…第２の空気通路（空気通路）
５３…噴霧口
【図１】
2006087797.tif 000003
【図２】
2006087797.tif 000004
【図３】
2006087797.tif 000005
【図４】
2006087797.tif 000006
【図５】
2006087797.tif 000007
【図６】
2006087797.tif 000008